(57)【要約】【課題】飼い主不在のままで動物病院や保健所にペットが持ち込まれた場合などに速やかに飼い主などに連絡可能なペット用首輪を提案すること。【解決手段】犬用首輪１は、ベルト２および長さ調節具３からなる首輪本体４と、ここに埋め込まれた非接触型のＩＣチップ５とを備えている。ＩＣチップ５には書き換え不能な読み出し専用の記憶領域６と、書き換え可能な記憶領域７とが含まれ、記憶領域６にはペット識別用のペットＩＤコードが記憶され、記憶領域７には飼い主の住所、氏名や連絡先などの情報が記憶されている。保健所、動物病院などでは、ＩＣチップ５のリーダ・ライタを備え、首輪１のＩＣチップ５を読み出すことにより、飼い犬の飼い主や連絡先などをその場で知ることができ、飼い主に速やかに連絡することが可能である。【選択図】      図１
2004357588.tif 000002
【特許請求の範囲】
【請求項１】
首輪本体と、
前記首輪本体に取り付けたＩＣチップとを有し、
前記ＩＣチップは、ペット識別情報を記憶するペット識別情報記憶部を備えているペット用首輪。
【請求項２】
請求項１において、
前記ＩＣチップは非接触状態で記憶保持されている前記ペット識別情報の読み出しおよび書き込みが可能な非接触型ＩＣチップであるペット用首輪。
【請求項３】
請求項１または２において、
前記ＩＣチップは前記首輪本体に埋め込まれているペット用首輪。
【請求項４】
請求項１、２または３において、
前記ペット識別情報には、少なくとも、飼い主の住所および氏名と、連絡先情報とが含まれているペット用首輪。
【請求項５】
請求項１ないし４のうちのいずれかの項に記載のペット用首輪からなる犬用首輪であって、
前記ペット識別情報には、交付される鑑札に表示されている鑑札情報が含まれている犬用首輪。
【発明の詳細な説明】
【０００１】
【発明の属する技術分野】
本発明は、犬や猫などのペットの飼い主や連絡先などのペット識別情報を担持したペット用首輪に関するものである。
【０００２】
【従来の技術】
犬や猫などのペットは、首輪に記載された飼い主や連絡先に基づき管理されている。特に、犬の場合には狂犬病の予防接種が義務付けられている関係上、飼い主に登録が義務付けられており、登録手続きにより交付される鑑札を飼い犬の首輪に付けることにより、各飼い犬が管理されている。
【０００３】
鑑札の代わりに飼い犬の識別や管理を行う方法として、飼い主や連絡先情報を担持したマイクロチップを犬の体内に埋め込む方法も知られている。マイクロチップを用いれば、首輪に付けてある鑑札を見て保健所などに照会することなく、専用のリーダを用いて連絡先などを確認できるので便利である。
【０００４】
一方、飼い主などが飼い犬などの所在を携帯電話などの通信回線を介して確認できるように、通信端末を取り付けた首輪が下記の特許文献に開示されている。
【０００５】
【特許文献】
実用新案登録第３０７９２３７号公報
【０００６】
【発明が解決しようとする課題】
ここで、マイクロチップを犬などのペットの体内に埋め込むことによるペットの識別、管理方法は、飼い主にとっては精神的苦痛などの抵抗感があり、動物愛護団体からの苦情のもとにもなりかねない。また、ペット体内へのマイクロチップの埋め込みには所定の時間および費用が掛かってしまうので、手軽に利用できる方法ではない。一方、上記の特許文献に開示されている通信端末が取り付けられた首輪は、飼い主がペットの所在を確認するためのものである。したがって、例えば、保健所に持ち込まれた迷い犬などを職員が首輪の通信端末を利用して確認できない。よって、ペットの識別、管理に用いるには不向きである。
【０００７】
本発明の課題は、犬などのペットの識別、管理を簡単に行うことのできるペット用首輪を提案することにある。特に、鑑札の代わりに用いることにより飼い犬の識別や管理を簡単かつ迅速に行うことのできる犬用首輪を提案することにある。
【０００８】
【課題を解決するための手段】
上記の課題を解決するために、本発明のペット用首輪は、
首輪本体と、
前記首輪本体に取り付けたＩＣチップとを有し、
前記ＩＣチップは、ペット識別情報を記憶するペット識別情報記憶部を備えていることを特徴としている。
【０００９】
ペットの管理、処分を行う保健所などにおいて、ＩＣチップのリーダ・ライタを用意しておけば、首輪本体に取り付けられているＩＣチップの記憶情報を読み取ることにより、その場で飼い主や連絡先を知ることができる。特に、自動車事故で亡くなったペットや、動物病院などに収容されたペットの連絡先などを、ＩＣチップを読み取ることにより直ちに知ることができるので便利である。また、読み取った記憶情報をコンピュータ処理することにより、簡単に、ペットの管理用データベースを構築できる。保健所などにおいて管理用データベースに基づきペットの識別、管理を簡単に行うことができる。
【００１０】
ここで、前記ＩＣチップとして、非接触状態で、記憶保持されている前記ペット識別情報の読み出しおよび書き込みが可能な非接触型ＩＣチップを用いると便利である。この場合には、ハンディターミナルとして構築されたＩＣチップのリーダ・ライタをペット用首輪に近づけることにより、簡単にペット情報を読み込むことができる。
【００１１】
また、前記ＩＣチップを前記首輪本体に埋め込んでおくことが望ましい。例えば樹脂製の首輪本体に埋め込むことによりＩＣチップを保護することができ、また、ＩＣチップが首輪から外れることも防止できる。
【００１２】
次に、前記ペット識別情報には、少なくとも、飼い主の住所および氏名と、連絡先情報とを含めておけばよい。
【００１３】
一方、本発明のペット用首輪は犬用首輪として用いるのに適している。この場合には、前記ペット識別情報に、交付される鑑札に表示されている鑑札情報が含まれるようにすればよい。
【００１４】
【発明の実施の形態】
以下に、図面を参照して、本発明を適用した犬用首輪の実施の形態を説明する。
【００１５】
図１は犬用首輪を示す説明図であり、図２は犬用首輪を用いた飼い犬管理システムの構成例を示す説明図である。
【００１６】
犬用首輪１は、一般的なベルト２および長さ調節具３からなる首輪本体４と、この首輪本体４のベルト２に埋め込まれた非接触型ＩＣチップ５とを有している。ＩＣチップ５には、書き換え不能な読み出し専用の記憶領域６と、書き換え可能な記憶領域７とが含まれている。
【００１７】
書き換え不能な記憶領域６にはペット識別用のペットＩＤコード、例えば、鑑札８に表示された登録番号などの識別情報が書き換え不可の状態で記憶保持されている。例えば、多数桁の数字、ローマ字などからなるペットＩＤコードが記憶保持されている。書き換え可能な記憶領域７には、飼い主情報（飼い主の住所、氏名など）および連絡先情報（電話番号、住所など）と、予防接種情報と、血統などの情報が書き換え可能な状態で記憶保持されている。
【００１８】
図２に示す飼い犬管理システム１０は、各飼い犬に取り付けた上記構成の首輪１と、首輪１に埋め込まれたＩＣチップ５の読み出し・書き込みを行うためのハンディターミナル１１と、ハンディターミナル１１との間で情報の送受を行う管理コンピュータ１２とを有している。管理コンピュータ１２は、飼い犬管理データベース１３を備えており、この飼い犬管理データベース１３には、各ペットＩＤコードと、各飼い犬の鑑札情報およびその他の情報とが対応付けした形態で保持されている。
【００１９】
首輪が付けられている飼い犬が交通事故などで動物病院などに運び込まれた場合には、飼い主が一緒でないときでも、ＩＣチップ５をハンディターミナル１１により読み取ることにより、飼い主や連絡先を知ることができるので、飼い主に速やかに連絡できる。また、交通事故などで死亡した飼い犬が保健所に持ち込まれた場合にも、ＩＣチップの記憶情報から飼い主に速やかに連絡を取ることができるので、保健所において飼い主に無断で処分されてしまうこともない。
【００２０】
なお、飼い犬管理データベース１３を保健所などの集中管理コンピュータにおいて管理し、動物病院、ペットショップなどにおいて通信回線などを介してデータをダウンロードできるようにすることも可能である。この場合には、ＩＣチップ５にはペットＩＤコードのみを記憶させておけばよい。すなわち、ハンディターミナル１１を用いてペットＩＤコードを読み取り、これを用いて管理コンピュータ１２においてデータベース１３を検索することにより、飼い主などの情報を出力できる。
【００２１】
（その他の実施の形態）
上記の例は飼い犬の管理などに適した犬用首輪１に関するものであるが、本発明は、犬以外のペット用首輪として適用可能なことは勿論である。
【００２２】
また、ＩＣチップを首輪表面に取り付けることも可能である。この場合には、接触型ＩＣチップを用いることもできる。
【００２３】
さらに、ＩＣチップに記憶保持する情報としては上記以外の各種の情報を含めてもよいことは勿論である。
【００２４】
【発明の効果】
以上説明したように、本発明のペット用首輪はＩＣチップを備え、そこに鑑札情報などが記憶保持されている。したがって、ＩＣチップのリーダ・ライタを備えていれば、その場でペットの飼い主や連絡先を知ることができる。よって、動物病院や保健所にペットが持ち込まれた場合に速やかに飼い主に連絡でき、交通事故などで死亡したペットが飼い主に無断で処分されてしまうなどの弊害も回避できる。
【図面の簡単な説明】
【図１】本発明を適用した犬用首輪を示す説明図である。
【図２】図１の犬用首輪を用いた飼い犬の管理システムを示す説明図である。
【符号の説明】
１    犬用首輪
２    ベルト
３    長さ調節具
４    首輪本体
５    ＩＣチップ
６、７  記憶領域
【図１】
2004357588.tif 000003
【図２】
2004357588.tif 000004